(57)【特許請求の範囲】
【請求項１】
第１パネルに第２パネルを角度をなして取り付けるためのパネルの取付構造において、
前記第２パネルの上面部の高さ位置は、前記第１パネルの上面部の高さ位置よりも低くなっており、前記第２パネルの小口面は、前記第１パネルの厚さ方向の２つの表面部のうち、前記第２パネルの前記小口面と対向する表面部における前記第１パネルの小口面から前記第１パネルの幅方向にずれた位置に取り付けられており、
前記第１パネルは、扉により開閉されるブースの開口部の左右のうちの少なくとも一方に配置された正面パネルであり、前記第２パネルは、前記正面パネルの前記厚さ方向の２つの前記表面部のうちの一方の表面部に、前記正面パネルに対して直交又は略直交して取り付けられた側面パネルであり、
前記ブースは複数個あり、前記側面パネルは、互いに隣接する２個の前記ブース間を仕切るものとなっており、
前記ブースは、幼稚園又は保育園に設置されている園児用のトイレブースであり、前記開口部は、前記トイレブースの出入口となっていることを特徴とするパネルの取付構造。
【請求項２】
請求項１に記載のパネルの取付構造において、前記側面パネルの前記小口面は、前記正面パネルの前記厚さ方向の２つの前記表面部のうちの前記一方の表面部における前記正面パネルの前記幅方向中央部又は略中央部に取り付けられていることを特徴とするパネルの取付構造。
【請求項３】
請求項１又は２に記載のパネルの取付構造において、前記正面パネルの前記上面部の前記高さ位置及び前記扉の上面部の高さ位置は、前記側面パネルの前記上面部の前記高さ位置よりも高くなっていることを特徴とするパネルの取付構造。
【請求項４】
請求項１〜３のいずれかに記載のパネルの取付構造において、前記扉は、金属及び木材よりも柔軟な材料である軟質材料で形成されていることを特徴とするパネルの取付構造。
【請求項５】
請求項１〜４のいずれかに記載のパネルの取付構造において、前記扉には、前記出入口を閉じているときの前記扉を前記正面パネルに施錠するための施錠装置が設けられており、前記側面パネルの前記上面部の前記高さ位置は、前記施錠装置の高さ位置より高くなっていることを特徴とするパネルの取付構造。
【請求項６】
請求項５に記載のパネルの取付構造において、前記扉の厚さ方向の２つの前記表面部のうちの前記トイレブースの外側の表面部には、前記扉の施錠状態及び開錠状態を表示するための施錠状態表示部材が設けられており、この施錠状態表示部材を構成するカップ状のカバー部材の窓孔から、前記扉の施錠状態及び開錠状態が分かるようになっていることを特徴とするパネルの取付構造。
【請求項７】
請求項１〜６のいずれかに記載のパネルの取付構造において、前記正面パネル及び前記側面パネルは、脚部材により床に立設されており、前記脚部材の上下寸法は、調整可能となっていることを特徴とするパネルの取付構造。
【請求項８】
請求項１〜７のいずれかに記載のパネルの取付構造において、前記側面パネルの上下寸法は、前記正面パネルの上下寸法よりも小さくなっていることを特徴とするパネルの取付構造。
【請求項９】
請求項８に記載のパネルの取付構造において、前記側面パネルの下面部は、前記正面パネルの下面部と面一状態又は略面一状態となっていることを特徴とするパネルの取付構造。
【請求項１０】
請求項１〜９のいずれかに記載のパネルの取付構造において、前記側面パネルの前記小口面とこの側面パネルの厚さ方向の２つの表面部とがなす角部と、前記側面パネルの前記小口面とこの側面パネルの前記上面部とがなす角部と、前記側面パネルの前記小口面とこの側面パネルの下面部とがなす角部は、ラウンド形状に面取りされていない直角又は略直角の形状を有していることを特徴とするパネルの取付構造。
【請求項１１】
請求項１〜１０のいずれかに記載のパネルの取付構造において、前記側面パネルの前記上面部とこの側面パネルの厚さ方向の２つの表面部とがなす角部と、前記側面パネルの下面部とこの側面パネルの前記厚さ方向の２つの前記表面部とがなす角部が、前記側面パネルの幅方向に延伸し、かつラウンド形状に面取りされたパネル幅方向延伸面取り部となっていることを特徴とするパネルの取付構造。
【請求項１２】
請求項１１に記載のパネルの取付構造において、前記パネル幅方向延伸面取り部は、前記側面パネルの前記上面部及び前記下面部に取り付けられたエッジ材により形成されていることを特徴とするパネルの取付構造。
【請求項１３】
請求項１〜１２のいずれかに記載のパネルの取付構造において、前記正面パネルは、この正面パネルの前記幅方向と直交又は略直交する水平方向から見て、４個の角部を有する方形状となっており、これらの角部のうち、上部の２個の角部のうちの少なくとも一方の角部が、ラウンド形状に面取りされた方形状角部面取り部となっていることを特徴とするパネルの取付構造。
【請求項１４】
請求項１３に記載のパネルの取付構造において、前記側面パネルの前記上面部の前記高さ位置と、前記正面パネルの前記上面部の前記高さ位置との差は、前記方形状角部面取り部の曲率半径の長さと同じ又はこれより大きくなっており、前記側面パネルの前記小口面は、この小口面と対向する前記正面パネルの前記表面部において、前記方形状角部面取り部となっている前記上部の２個の前記角部のうちの一方の前記角部側の前記正面パネルの前記小口面から、前記正面パネルの前記幅方向に前記曲率半径の前記長さと同じ長さ又はこれより大きい長さずれた位置に取り付けられていることを特徴とするパネルの取付構造。
【請求項１５】
請求項１４に記載のパネルの取付構造において、前記方形状角部面取り部は、前記正面パネルに取り付けられたエッジ材により形成されており、前記側面パネルは、前記正面パネルの前記表面部におけるこの正面パネルに取り付けられた前記エッジ材と干渉しない箇所のうち、最も上側、かつ、最も前記トイレブースの外側に寄った箇所に取り付けられていることを特徴とするパネルの取付構造。
【請求項１６】
請求項１〜１５のいずれかに記載のパネルの取付構造において、前記側面パネルは、取付具により前記正面パネルに取り付けられ、前記取付具は、前記正面パネルの前記厚さ方向の２つの前記表面部のうちの一方の表面部と前記側面パネルの前記小口面とのうちのいずれか一方に第１止着具で止着される平坦面を有する一対のベース部と、それぞれのベース部から立ち上がる一対の立上部と、これらの立上部の上端部同士を連結する天井部と、を含んで構成され、前記一対の立上部のうちの一方には、前記正面パネルの前記厚さ方向の２つの前記表面部のうちの一方の表面部と前記側面パネルの前記小口面とのうちのいずれか他方に羅入された第２止着具の頭部及び胴部が挿通可能な開口部が形成され、この開口部から前記天井部へは前記第２止着具の前記胴部のみが挿通可能な長孔が形成されていることを特徴とするパネルの取付構造。
【発明の詳細な説明】
【技術分野】
【０００１】
本発明は、パネルの取付構造に係り、例えば、ブース（イレブース、シャワーブース、自習ブース、ビデオブース等）の壁を形成するために用いられるパネルの取付構造に関する。
【背景技術】
【０００２】
下記の特許文献１の図１には、幼稚園や保育園に設けられている園児用のトイレブース２が示されている。このトイレブース２の出入口となっている開口部５を形成する第１パネルである正面パネル３の後方には、第２パネルである側面パネル４が配置されており、この側面パネル４は、正面パネル３に９０度の角度をなして（言い換えると、直角に）取り付けられている。
【０００３】
図１で３個示されている３個の正面パネル３Ａ，３Ｂ，３Ｃのうち、中央の正面パネル３Ｂは、言い換えると、２個のトイレブース２Ａと２Ｂの間に設けられた正面パネル３Ｂは、これらのトイレブース２Ａと２Ｂに共通の正面パネルになっており、また、図１で３個示されている側面パネル４Ａ，４Ｂ，４Ｃのうち、中央の側面パネル４Ｂは、トイレブース２Ａと２Ｂを仕切るための間仕切りパネルとなっている。
【先行技術文献】
【特許文献】
【０００４】
【特許文献１】特開２０１３−１３６９３６号公報
【発明の概要】
【発明が解決しようとする課題】
【０００５】
ところで、正面パネル３の上下寸法と側面パネル４の上下寸法は同じとなっており、正面パネル３に側面パネル４を取り付けるときには、図１に示されているように、正面パネル３の上面部と側面パネル４の上面部とが面一状態となるとともに、正面パネル３の下面部（言い換えると、底面部）と側面パネル４の下面部とが面一状態となるようにする必要がある。
【０００６】
また、正面パネル３に側面パネル４を取り付けるときには、図１に示されているように、３個の側面パネル４Ａ，４Ｂ，４Ｃのうち、左右の側面パネル４Ａ，４Ｃの厚さ方向の２つの表面部のうちのトイレブース２外側の表面部と、３個の正面パネル３Ａ，３Ｂ，３Ｃのうち、左右の正面パネル３Ａ，３Ｃの幅方向の端部の端面である小口面とが面一状態となるようにする必要がある。
【０００７】
このため、正面パネル３に側面パネル４を取り付ける作業に手間が掛っていた。
【０００８】
また、これらのパネル３，４の製造過程において上下寸法の誤差が生じる場合があり、この誤差が生じていることが現場で分かった場合には、正面パネル３又は側面パネル４を交換する必要があり、このため、正面パネル３に側面パネル４を取り付ける作業にロスが生じることになる。
【０００９】
このため、正面パネル３に側面パネル４を角度をなして取り付ける作業が簡単になるパネルの取付構造の工夫が求められていた。
【００１０】
本発明の目的は、第１パネルに第２パネルを角度をなして取り付ける作業が簡単になるパネルの取付構造を提供するところにある。
【課題を解決するための手段】
【００１１】
本発明に係るパネルの取付構造は、第１パネルに第２パネルを角度をなして取り付けるためのパネルの取付構造において、前記第２パネルの上面部の高さ位置は、前記第１パネルの上面部の高さ位置よりも低くなっており、前記第２パネルの小口面は、前記第１パネルの厚さ方向の２つの表面部のうち、前記第２パネルの前記小口面と対向する表面部における前記第１パネルの小口面から前記第１パネルの前記幅方向にずれた位置に取り付けられていることを特徴とするものである。
【００１２】
本発明では、上述したように、第２パネルの上面部の高さ位置は、第１パネルの上面部の高さ位置よりも低くなっている。
【００１３】
すなわち、本発明では、第１パネルに第２パネルを取り付けるときには、前述した従来のように、第１パネルの上面部と第２パネルの上面部とが面一状態となるとともに、第１パネルの下面部（言い換えると、底面部）と第２パネルの下面部とが面一状態となるようにする必要がなくなる。
【００１４】
また、本発明では、上述したように、第２パネルの小口面（言い換えると、第２パネルの幅方向の端部の端面）は、第１パネルの厚さ方向の２つの表面部のうち、第２パネルの小口面と対向する表面部における第１パネルの小口面（言い換えると、第１パネルの幅方向の端部の端面）から第１パネルの幅方向にずれた位置に取り付けられている。
【００１５】
すなわち、本発明では、第１パネルに第２パネルを取り付けるときには、前述した従来のように、第２パネルの厚さ方向の２つの表面部のうちの一方の表面部と、第１パネルの小口面とが面一状態となるようにする必要がなくなる。
【００１６】
さらに、本発明では、第１パネル及び第２パネルの製造過程において上下寸法の誤差が生じたとしても、この誤差の発生を気にすることなく、第１パネルに第２パネルを取り付ける作業を行うことができる。言い換えると、第１パネル又は第２パネルを交換することなく、第１パネルに第２パネルを取り付ける作業を行うことができる。
【００１７】
このため、本発明によると、第１パネルに第２パネルを角度をなして取り付ける作業が、従来と比較して簡単になる。
【００１８】
本発明において、第２パネルの上下寸法は、第１パネルの上下寸法よりも小さくなっていてもよく、いなくてもよい。
【００１９】
前者の場合において、第２パネルの下面部は、第１パネルの下面部と面一状態又は略面一状態となっていてもよく、いなくてもよい。
【００２０】
本発明において、第２パネルの小口面とこの第２パネルの厚さ方向の２つの表面部とがなす角部と、第２パネルの小口面とこの第２パネルの上面部とがなす角部と、第２パネルの小口面とこの第２パネルの下面部とがなす角部は、ラウンド形状に面取りされていない直角又は略直角の形状を有しているものであってもよく、なくてもよい。
【００２１】
前者の場合によると、第１パネルとの接合面（言い換えると、取付面）である第２パネルの小口面を、後者の場合と比較して、より面積の大きな平坦面とすることができる。
【００２２】
本発明において、第２パネルの上面部とこの第２パネルの厚さ方向の２つの表面部とがなす角部と、第２パネルの下面部とこの第２パネルの厚さ方向の２つの表面部とがなす角部が、第２パネルの幅方向に延伸し、かつラウンド形状に面取りされたパネル幅方向延伸面取り部となっていてもよく、いなくてもよい。
【００２３】
前者の場合によると、第２パネルの上面部とこの第２パネルの厚さ方向の２つの表面部とがなす角部と、第２パネルの下面部とこの第２パネルの厚さ方向の２つの表面部とがなす角部に、物や人が当接しても、この当接の際の衝撃を和らげることができる。また、前者によると、第２パネルの上面部とこの第２パネルの厚さ方向の２つの表面部とがなす角部と、第２パネルの下面部とこの第２パネルの厚さ方向の２つの表面部とがなす角部に、物や人が引っ掛かることを防止することができる。
【００２４】
なお、上述したパネル幅方向延伸面取り部は、第２パネルの上面部とこの第２パネルの厚さ方向の２つの表面部とがなす角部と、第２パネルの下面部とこの第２パネルの厚さ方向の２つの表面部とがなす角部を面取り加工することにより形成されていてもよく、第２パネルの上面部及び下面部に取り付けられたエッジ材により形成されていてもよい。
【００２５】
本発明において、第１パネルは、この第１パネルの幅方向と直交又は略直交する水平方向から見て、４個の角部を有する方形状となっていてもよく、いなくてもよい。
【００２６】
前者の場合には、これらの角部のうち、上部の２個の角部のうちの少なくとも一方の角部が、ラウンド形状に面取りされた方形状角部面取り部となっていることが好ましい。
【００２７】
これによると、上部の２個の角部のうちの少なくとも一方の角部に、物や人が当接しても、この当接の際の衝撃を和らげることができる。また、これによると、上部の２個の角部のうちの少なくとも一方の角部に、物や人が引っ掛かることを防止することができる。
【００２８】
なお、上述したように、第１パネルは、この第１パネルの幅方向と直交又は略直交する水平方向から見て、４個の角部を有する方形状となっており、これらの角部のうち、上部の２個の角部のうちの少なくとも一方の角部が、ラウンド形状に面取りされた方形状角部面取り部となっている場合において、第２パネルの上面部の高さ位置と、第１パネルの上面部の高さ位置との差は、方形状角部面取り部の曲率半径の長さと同じ又はこれより大きいものとし、第２パネルの小口面は、この小口面と対向する第１パネルの表面部において、方形状角部面取り部となっている上部の２個の角部のうちの一方の角部側の第１パネルの小口面から、第１パネルの幅方向に曲率半径の長さと同じ長さ又はこれより大きい長さずれた位置に取り付けるようにしてもよい。
【００２９】
これによると、第２パネルの上面部の高さ位置をより高いものとすることができ、また、第２パネルにより仕切られる空間をより大きいものとすることができる。
【００３０】
本発明において、第１パネル及び第２パネルの用途は任意なものでよい。
【００３１】
例えば、第１パネルは、扉により開閉されるブースの開口部の左右のうちの少なくとも一方に配置された正面パネルであり、第２パネルは、正面パネルの厚さ方向の２つの表面部のうちの一方の表面部に、正面パネルに対して直交又は略直交して取り付けられた側面パネルである。
【００３２】
なお、上述したブースの個数は、１個でもよく、複数個でもよい。
【００３３】
後者の場合には、側面パネルは、互いに隣接する２個のブース間を仕切るものとなる。
【００３４】
後者の場合において、側面パネルの小口面は、正面パネルの厚さ方向の２つの表面部のうちの一方の表面部における正面パネルの幅方向中央部又は略中央部に取り付けてもよく、取り付けなくてもよい。
【００３５】
なお、上述したブースの用途は任意なものでよい。例えば、ブースはトイレブースであり、開口部は、トイレブースの出入口としてもよい。また、ブースはシャワーブースであり、開口部は、シャワーブースの出入口としてもよい。また、ブースは、予備校、塾等の建物に設置される受験生のための自習ブースであり、開口部は、自習ブースの出入口としてもよい。さらに、ブースは、ビデオ観賞のための完全個室型でないビデオブースであり、開口部は、ビデオブースの出入口としてもよい。
【００３６】
以上の本発明において、第２パネルは、取付具により第１パネルに取り付けられるものであってもよく、接着剤による接着により取り付けられるものであってもよい。
【００３７】
前者の場合において、取付具の形式、構造は任意なものでよい。この取付具の一例として、第１パネルの厚さ方向の２つの表面部のうちの一方の表面部と第２パネルの小口面とのうちのいずれか一方に第１止着具で止着される平坦面を有する一対のベース部と、それぞれのベース部から立ち上がる一対の立上部と、これらの立上部の上端部同士を連結する天井部と、を含んで構成され、前記一対の立上部のうちの一方には、第１パネルの厚さ方向の２つの表面部のうちの一方の表面部と第２パネルの小口面とのうちのいずれか他方に羅入された第２止着具の頭部及び胴部が挿通可能な開口部が形成され、この開口部から前記天井部へは第２止着具の胴部のみが挿通可能な長孔が形成されているものを挙げることができる。
【発明の効果】
【００３８】
本発明によると、第１パネルに第２パネルを角度をなして取り付ける作業が簡単になるという効果を得られる。
【図面の簡単な説明】
【００３９】
【図１】図１は、本発明の一実施形態に係るパネルの取付構造が適用されているトイレブースの全体を示す斜視図である。
【図２】図２は、図１のトイレブースを示す正面図である。
【図３】図３は、図１及び図２で示されている扉を二点鎖線で示したトイレブースの正面図である。
【図４】図４は、図１及び図２に示されている施錠装置が開錠されているときを示す平面図である。
【図５】図５は、図１及び図２に示されている施錠装置が施錠されているときを示す平面図である。
【図６】図６は、第１パネルである正面パネル及びこの正面パネルに取り付けられている第２パネルである側面パネルを斜め後方から見たときの斜視図である。
【図７】図７は、図６に示されている正面パネル及び側面パネルの上部の拡大図である。
【図８】図８は、図６に示されている正面パネル及び側面パネルの平面図である。
【図９】図９は、図７及び図８で示されている側面パネルの上部の縦断面図である。
【図１０】図１０は、正面パネルに側面パネルを取り付けるための取付具の斜視図である。
【図１１】図１１は、図１０に示されている取付具により正面パネルに取り付けられている側面パネルの取付構造を示す平面図である。
【図１２】図１２は、図１０に示されている取付具により正面パネルに取り付けられている側面パネルの取付構造を示す側面図である。
【図１３】図１３は、図１０に示されている取付具により正面パネルに側面パネルを取り付けるときを示す図１２と同様の図である。
【図１４】図１４は、本発明の一実施形態に係るパネルの取付構造を複数個のトイレブースに適用した実施形態を示す図１と同様の図である。
【図１５】図１５は、図１で示す３個の正面パネルのうちの中央の正面パネル及びこの正面パネルに取り付けられている側面パネルを斜め後方から見たときを示す図６と同様の図である。
【図１６】図１６は、正面パネル及び側面パネル取付構造の別実施形態を示す図７と同様の図である。
【図１７】図１７は、図１６に示されている正面パネル及び側面パネルを後方正面から見た側面図である。
【発明を実施するための形態】
【００４０】
以下に本発明を実施するための形態を図面に基づいて説明する。図１には、本実施形態に係るパネルの取付構造が適用されたトイレブース２が示されており、このトイレブース２は幼稚園又は保育園に設置されているものである。
【００４１】
本実施形態では、トイレブース２の個数は１個であり、このトイレブース２は、左右方向の間隔を開けて設置されている第１パネルである２個の正面パネル３，４と、右側の正面パネル４から後方に延びている第２パネルである側面パネル５と、この側面パネル５の後端において、正面パネル３，４と平行に立設されている室内壁１の後壁部１Ｂと、側面パネル５と平行に立設されている室内壁１の側壁部１Ａとにより、平面視で四角形に形成され、正面パネル３，４同士の間の開口部が、内部に便器９が設けられているトイレブース２の出入口６となっている。
【００４２】
そして、互いに連結されている右側の正面パネル４と側面パネル５は、脚部材７により床８に立設されており、側面パネル５は、右側の正面パネル４に９０度又は略９０度の角度をなして取り付けられている。また、側壁部１Ａに連結されている左側の正面パネル３も、脚部材７により床８に立設されている。このように、正面パネル３，４は、出入口５を形成する不動部材となっている。
【００４３】
図２は、図１のトイレブース２を示す正面図である。トイレブース２の扉１０は、左側の正面パネル３に上下方向に離間して配置された２個のヒンジ１１で開閉自在に取り付けられており、これにより、正面パネル３，４との間に形成されているトイレブース２の出入口６は、扉１０により開閉される。このため、出入口６に配置されている扉１０は、左右の側辺のうちの左の側辺側に配置された上下２個のヒンジ１１を中心に開閉自在となっているとともに、左側開きの扉となっている。
【００４４】
このように、出入口６は、左右方向の間隔を開けて配置されている不動部材となっている左右２枚の正面パネル３，４により形成されている。また、扉１０は、出入口６を開閉するためにこの出入口６に開閉自在に配置されている。
【００４５】
扉１０は、木材等の硬質材料、あるいは、金属や木材よりも柔軟な材料である軟質材料より形成されたものとなっている。一方、正面パネル３，４及び側面パネル５は、木材等の硬質材料で形成されたものとなっている。
【００４６】
また、図２に示されているように、扉１０は、正面視で略長方形の形状となっているとともに、四つの角部がラウンド形状に面取りされたものとなっており、図１〜図３に示されているように、左側開きの扉として使用できるだけでなく、右側開きの扉としても使用できるようになっている。
【００４７】
なお、扉１０の形状は、図２に示されているような正面視で略長方形の形状に限定されるものでなく、任意な形状なものでよい。例えば、扉１０の形状は、正面視で非四角形の形状となっていてもよい。
【００４８】
以上説明したように、正面パネル３，４は、扉１０により開閉されるトイレブース２の開口部である出入口６の左右に配置された第１パネルとなっており、側面パネル５は、正面パネル４の厚さ方向の２つの表面部４Ａ，４Ｂのうちの一方の表面部である裏表面部４Ｂに、正面パネル４に対して直交又は略直交して取り付けられた第２パネルとなっている。
【００４９】
また、扉１０には、出入口６を閉じているときの扉１０を右側の正面パネル４に施錠するための施錠装置２０が設けられている。この施錠装置２０は、図４及び図５に示されているように、扉１０におけるトイレブース２の内側に向いている面に、図示しない水平軸（回動中心軸）を中心に回動自在に取り付けられているサムターン部材２１と、このサムターン部材２１に結合されている棒状のラッチ２１Ｂと、右側の正面パネル４におけるトイレブース２の外側に向いている面である表面部４Ａに取り付けられているラッチ受け部材２２とを有するものとなっている。
【００５０】
図４は、サムターン部材２１を回動させる前であって、ラッチ２１Ｂの先端部がラッチ受け部材２２の溝部２２Ａに嵌合してしないときを示しており、このときの施錠装置２０は開錠されており、扉１０を開閉操作することができる。また、図５は、サムターン部材２１を９０度回動させた後であって、ラッチ２１Ｂの先端部がラッチ受け部材２２の溝部２２Ａに嵌合しているときを示しており、このときの施錠装置２０は施錠されており、扉１０を開閉操作することができない。このように、施錠装置２０は、室内側であるトイレブース２の内側（内部）から施錠、開錠するための扉関連部材となっている。
【００５１】
なお、サムターン部材２１と扉１０を隔てた反対側、すなわち、トイレブース２の外側には、扉１０の施錠状態及び開錠状態を表示するための施錠状態表示部材が設けられており、この施錠状態表示部材を構成するカップ状のカバー部材２３の窓孔２３Ａから、扉１０の施錠状態及び開錠状態が分かるようになっている。
【００５２】
すなわち、カバー部材２３の内部には、サムターン部材２１の回動中心軸に固定されていてサムターン部材２１とともに回動する円盤状の円盤部２４Ａを有するマーク部材２４が配置されており、このマーク部材２４の円盤部２４Ａの四半円部分は、着色（本実施形態では、赤色）されたマーク部（着色部）２４Ｂとなっている。
【００５３】
このため、施錠装置２０を図５に示されているように施錠するために、サムターン部材２１を９０度回動させると、カバー部材２３の窓孔２３Ａには、マーク部２４Ｂが露出するため、トイレブース２の外部から扉１０が施錠されていることを確認できる。
【００５４】
図２及び図３に示されているように、右側の正面パネル４は、この正面パネル４の幅方向と直交又は略直交する水平方向から見て（言い換えると、正面視で）、略長方形の形状、すなわち、４個の角部４Ｇ，４Ｈ，４Ｉ，４Ｊを有する方形状となっており、これらの角部は、ラウンド形状に面取りされた方形状角部面取り部となっている。すなわち、本実施形態では、上部の角部４Ｇ，４Ｈと、下部の角部４Ｉ，４Ｊが方形状角部面取り部となっている。
【００５５】
図４及び図５に示されているように、正面パネル４の厚さ方向（言い換えると、前後方向）の２つの表面部のうち、トイレブース２の外側に向いている面は、表面部４Ａとなっており、トイレブース２の内側に向いている面は、裏表面部４Ｂとなっている。また、図２及び図３に示されているように、右側の正面パネル４の幅方向（言い換えると、左右方向）の両端部の端面４Ｅ，４Ｆは、正面パネル４の小口面となっている。
【００５６】
図６は、正面パネル４及びこの正面パネル４に取り付けられている側面パネル５を斜め後方から見たときの斜視図である。また、図７は、図６に示されている正面パネル４及び側面パネル５の上部の拡大図であり、図８は、図６に示されている正面パネル４及び側面パネル５の平面図である。
【００５７】
図６〜図８、及び具体的な説明を後述する図１１に示されているように、正面パネル４の上面部４Ｃと表面部４Ａとがなす角部４Ｋと、正面パネル４の上面部４Ｃと裏表面部４Ｂとがなす角部４Ｌは、正面パネル４の幅方向（言い換えると、左右方向）に延伸し、かつラウンド形状に面取りされたパネル幅方向延伸面取り部となっている。これと同様に、具体的な説明を後述する図１２に示されているように、正面パネル４の下面部４Ｄと表面部４Ａとがなす角部４Ｍと、正面パネル４の下面部４Ｄと裏表面部４Ｂとがなす角部４Ｎも、正面パネル４の幅方向に延伸し、かつラウンド形状に面取りされたパネル幅方向延伸面取り部となっている。
【００５８】
また、図６〜図８、図１１及び図１２に示されているように、正面パネル４の小口面４Ｅと表面部４Ａとがなす角部４Ｐと、正面パネル４の小口面４Ｅと裏表面部４Ｂとがなす角部４Ｑは、正面パネル４の長さ方向（言い換えると、上下方向）に延伸し、かつラウンド形状に面取りされたパネル長さ方向延伸面取り部となっている。これと同様に、図８及び図１１に示されているように、正面パネル４の小口面４Ｆと表面部４Ａとがなす角部４Ｒも、パネル長さ方向延伸面取り部となっており、図６〜図７、及び図１１に示されているように、正面パネル４の小口面４Ｆと裏表面部４Ｂとがなす角部４Ｓも、パネル長さ方向延伸面取り部となっている。
【００５９】
以上説明したように、本実施形態では、正面パネル４の全部の角部４Ｇ，４Ｈ，４Ｉ，４Ｊ，４Ｋ，４Ｌ，４Ｍ，４Ｐ，４Ｑ，４Ｒ、４Ｓが、ラウンド形状に面取りされた面取り部となっている。
【００６０】
図６〜図８に示されているように、側面パネル５の厚さ方向（言い換えると、前後方向）の２つの表面部のうち、トイレブース２の外側に向いている面は、表面部５Ａとなっており、トイレブース２の内側に向いている面は、裏表面部５Ｂとなっている。また、側面パネル５の幅方向（言い換えると、左右方向）の両端部の端面５Ｅ，５Ｆは、側面パネル５の小口面となっている。
【００６１】
そして、図６〜図８、及び図１１に示されているように、側面パネル５の上面部５Ｃと表面部５Ａとがなす角部５Ｋと、側面パネル５の上面部５Ｃと裏表面部５Ｂとがなす角部５Ｌは、側面パネル５の幅方向（言い換えると、左右方向）に延伸し、かつラウンド形状に面取りされたパネル幅方向延伸面取り部となっている。これと同様に、図６及び図１２に示されているように、側面パネル５の下面部５Ｄと表面部５Ａとがなす角部５Ｍも、パネル幅方向延伸面取り部となっており、図６に示されているように、側面パネル５の下面部５Ｄと裏表面部５Ｂとがなす角部５Ｎも、パネル幅方向延伸面取り部となっている。
【００６２】
図６に示されているように、正面パネル４の裏表面部４Ｂと対向する側面パネル５の小口面５Ｅと上面部５Ｃとの方形状角部５Ｇと、側面パネル５の小口面５Ｅと表面部５Ａとの角部５Ｐと、側面パネル５の小口面５Ｅと裏表面部５Ｂとの角部５Ｑと、側面パネル５の小口面５Ｅと下面部５Ｄとの方形状角部５Ｉは、ラウンド形状に面取りされた面取り部となっていない。これと同様に、室内壁１の後壁部１Ｂと対向する側面パネル５の小口面５Ｆと上面部５Ｃとの方形状角部５Ｈと、側面パネル５の小口面５Ｆと表面部５Ａとの角部５Ｒと、側面パネル５の小口面５Ｆと裏表面部５Ｂとの角部５Ｓと、側面パネル５の小口面５Ｆと下面部５Ｄとの方形状角部５Ｊも、ラウンド形状に面取りされた面取り部となっていない。このため、本実施形態では、側面パネル５の２つの小口面５Ｅ，５Ｆは、平坦面となっている。
【００６３】
このように、本実施形態では、側面パネル５の小口面５Ｅ，５Ｆとこの側面パネル５の厚さ方向の２つの表面部５Ａ，５Ｂとがなす角部５Ｐ，５Ｑ，５Ｒ，５Ｓと、側面パネル５の小口面５Ｅ，５Ｆとこの側面パネル５の上面部５Ｃとがなす角部５Ｇ，５Ｈと、側面パネル５の小口面５Ｅ，５Ｆとこの側面パネル５の下面部５Ｄとがなす角部５Ｉ，５Ｊは、ラウンド形状に面取りされていない直角又は略直角の形状を有している。
【００６４】
なお、側面パネル５は、図１２に示されているように、上枠部材３５と、下枠部材３６と、左の側枠部材３７と、図示されていない右側の側枠部材と、これらの枠部材で囲まれた空間に配置される芯材（言い換えると、コア材）３８と、を含んで構成されている。
【００６５】
図９は、図７及び図８で示されている側面パネル５の上部の縦断面図である。図７及び図９に示されているように、側面パネル５の厚さ方向の２つの表面部５Ａ，５Ｂは、表面材３０で形成されており、これらの表面材３０の間に上述した枠部材と芯材が配置されている。
【００６６】
図７及び図９から分かるように、上枠部材３５の上面部３５Ａには、帯状部材である１本のエッジ材３１が取り付けられており、パネル幅方向延伸面取り部となっている側面パネル５の上面部５Ｃと表面部５Ａとがなす角部５Ｋと、側面パネル５の上面部５Ｃと裏表面部５Ｂとがなす角部５Ｌは、このエッジ材３１により形成されている。
【００６７】
エッジ材３１は、図９に示されているように、上枠部材３５の上面部３５Ａ及び左右の側枠部材の図示しない上面部を覆う帯状の本体部３２と、この本体部３２の下面部（言い換えると、底面部）３２Ａにおける本体部幅方向中央部から下向きに突出して形成された凸状部３３と、を有しており、この凸状部３３は、本体部３２の長さ方向（図９では前後方向）全長又は略全長に渡って形成されている。
【００６８】
一方、上枠部材３５の上面部３５Ａには、エッジ材３１の凸状部３３が挿入、嵌合する溝部３５Ｂが形成されており、この溝部３５Ｂは、上枠部材３５の長さ方向（図９では前後方向、図１２では左右方向）全長又は略全長に渡って形成された長溝となっている。なお、左右の側枠部材の図示されない上面部にも、エッジ材３１の凸状部３３が挿入、嵌合する図示されない溝部が形成されており、この溝部も、左右の側枠部材の幅方向（図１２では左右方向）全長又は略全長に渡って形成された長溝となっている。
【００６９】
エッジ材３１の上枠部材３５の上面部３５Ａ及び左右の側枠部材の上面部への取り付けは、このエッジ材３１の凸状部３３を、上枠部材３５の上面部３５Ａの溝部３５Ｂ及び左右の側枠部材の上面部の溝部に挿入、嵌合することにより行う。
【００７０】
なお、図９に示されているように、エッジ材３１の本体部３２の下面部３２Ａは、このエッジ材３１の本体部３２の幅方向（図９では左右方向）外側に下向きに傾斜している。このため、エッジ材３１の凸状部３３を、上枠部材３５の上面部３５Ａの溝部３５Ｂ及び左右の側枠部材の上面部の溝部に挿入、嵌合させた状態では、図９に示されているように、エッジ材３１の本体部３２の下面部３２Ａと、上枠部材３５の上面部３５Ａ及び左右の側枠部材の上面部との間には、隙間３９が形成されるようになっている。
【００７１】
このため、エッジ材３１の凸状部３３を、上枠部材３５の上面部３５Ａの溝部３５Ｂ及び左右の側枠部材の上面部の溝部に挿入、嵌合させる前に、エッジ材３１の本体部３２の下面部３２Ａに接着剤を予め塗布しておく。これにより、エッジ材３１の凸状部３３を、上枠部材３５の上面部３５Ａの溝部３５Ｂ及び左右の側枠部材の上面部の溝部に挿入、嵌合させたとき、上述した隙間３９には、接着剤が充填されることになる。この結果、エッジ材３１の本体部３２の下面部３２Ａは、上枠部材３５の上面部３５Ａ及び左右の側枠部材の上面部に接着した状態となる。
【００７２】
また、図１２から分かるように、下枠部材３６の下面部（言い換えると、底面部）にも、帯状部材であるエッジ材３１が取り付けられており、パネル幅方向延伸面取り部となっている側面パネル５の下面部５Ｄと表面部５Ａとがなす角部５Ｍと、側面パネル５の下面部５Ｄと裏表面部５Ｂとがなす角部５Ｎも、このエッジ材３１により形成されている。
【００７３】
上枠部材３５と同様に、下枠部材３６の図示されない下面部には、エッジ材３１の凸状部３３が挿入、嵌合する図示されない溝部が形成されており、この溝部は、下枠部材３６の長さ方向（図１２では左右方向）全長又は略全長に渡って形成された長溝となっている。なお、左右の側枠部材の図示されない下面部にも、エッジ材３１の凸状部３３が挿入、嵌合する図示されない溝部が形成されており、この溝部も、左右の側枠部材の幅方向（図１２では左右方向）全長又は略全長に渡って形成された長溝となっている。
【００７４】
このため、エッジ材３１の下枠部材３６の下面部及び左右の側枠部材の下面部への取付作業は、前述したエッジ材３１の上枠部材３５の上面部３５Ａ及び左右の側枠部材の上面部への取付作業と同様である。
【００７５】
なお、以上説明したエッジ材３１の側面パネル３５への取付作業は、前述したように、上枠部材３５と、下枠部材３６と、左右の側枠部材と、芯材３８と、表面材３０と、を含んで構成される側面パネル３５本体の組立作業が完了した後に行う。
【００７６】
なお、前述したように、正面パネル４の全部の角部４Ｇ，４Ｈ，４Ｉ，４Ｊ，４Ｋ，４Ｌ，４Ｍ，４Ｐ，４Ｑ，４Ｒ、４Ｓが、ラウンド形状に面取りされた面取り部となっているが、これらの面取り部も、側面パネル５と同様に、１本又は複数本のエッジ材３１により形成されている。前述した側面パネル５と同様に、この正面パネル４も、上枠部材と、下枠部材と、上枠部材と、下枠部材と、左右の側枠部材と、芯材と、表面材と、を含んで構成されており、エッジ材３１の正面パネル４への取付構造は、前述した側面パネル５の場合と同様である。
【００７７】
なお、図１〜図３に示されている左右の正面パネル３，４のうち、左側の正面パネル３は、前述した右側の正面パネル４と同様に、正面視で略長方形の形状、すなわち、４個の角部３Ｇ，３Ｈ，３Ｉ，３Ｊを有する方形状となっており、図２及び図３から分かるように、上部の２個の角部３Ｇ，３Ｈのうちの出入口６側の角部３Ｇと、下部の２個の角部３Ｉ，３Ｊのうちの出入口６側の角部３Ｉは、ラウンド形状に面取りされた方形状角部面取り部となっている。
【００７８】
また、図示されていないが、正面パネル３の上面部３Ｃと表面部３Ａとがなす角部と、正面パネル３の上面部３Ｃと裏表面部３Ｂ（図１参照）とがなす角部は、正面パネル３の幅方向（言い換えると、左右方向）に延伸し、かつラウンド形状に面取りされたパネル幅方向延伸面取り部となっている。これと同様に、図示されていないが、正面パネル３の下面部３Ｄと表面部３Ａとがなす角部と、正面パネル３の下面部３Ｄと裏表面部３Ｂとがなす角部も、正面パネル３の幅方向に延伸し、かつラウンド形状に面取りされたパネル幅方向延伸面取り部となっている。
【００７９】
また、図示されていないが、正面パネル３の小口面３Ｅ，３Ｆのうち、出入口６側の小口面３Ｅと表面部３Ａとがなす角部と、正面パネル３の小口面３Ｅと裏表面部３Ｂとがなす角部は、正面パネル３の長さ方向（言い換えると、上下方向）に延伸し、かつラウンド形状に面取りされたパネル長さ方向延伸面取り部となっている。
【００８０】
このように、本実施形態では、正面パネル３の上部の２個の角部３Ｇ，３Ｈのうちの室内壁１の側壁部１Ａ側の角部３Ｈと、下部の２個の角部３Ｉ，３Ｊのうちの室内壁１の側壁部１Ａ６側の角部３Ｊと、正面パネル３の小口面３Ｆと表面部３Ａとがなす角部と、正面パネル３の小口面３Ｆと表面部３Ａとがなす角部も、ラウンド形状に面取りされた面取り部となっていない。
【００８１】
なお、図示されていないが、正面パネル３のうち、面取り部となっているそれぞれの角部は、前述した正面パネル４や側面パネル５と同様に、１本又は複数本のエッジ材３１により形成されている。すなわち、正面パネル３の上面部３Ｃと、下面部３Ｄと、小口面３Ｅは、１本又は複数本のエッジ材３１により形成されている。
【００８２】
次に、正面パネル４と側面パネル５の取付構造について説明する。
【００８３】
図１０は、正面パネル４に側面パネル５を取り付けるための取付具４０、言い換えると、正面パネル４と側面パネル５同士を連結するための連結具４０の斜視図である。また、図１１は、図１０に示されている取付具４０により正面パネル４に取り付けられている側面パネル５の取付構造を示す平面図であり、図１２は、図１０に示されている取付具４０により正面パネル４に取り付けられている側面パネル５の取付構造を示す側面図である。
【００８４】
本実施形態では、側面パネル５は、この取付具４０により正面パネル４に取り付けられる。
【００８５】
図１０に示されているように、取付具４０は、ビス等の第１止着具で止着される平坦面を有する上下一対のベース部４１，４２と、それぞれのベース部４１，４２から立ち上がる上下一対の立上部４３，４４と、これらの立上部４３，４４の上端部同士を連結する天井部４５と、を含んで構成されている。上下一対の立上部４３，４４のうちの一方である上の立上部４３には、ビス等の第２止着具の頭部及び胴部が挿通可能な開口部４３Ａが形成され、この開口部４３Ａから天井部４５へは上記第２止着具の胴部のみが挿通可能な長孔４５Ａが形成されている。なお、上下一対のベース部４１，４２には、第１止着具が挿通可能な丸孔４１Ａ，４２Ａが形成されている。
【００８６】
本実施形態では、図１１及び図１２に示されているように、取付具４０の上下一対のベース部４１，４２は、正面パネル４の厚さ方向の２つの表面部４Ａ，４Ｂのうちの一方の表面部である裏表面部４Ｂと、側面パネル５の小口面５Ｅとのうちのいずれか一方である側面パネル５の小口面５Ｅに、第１止着具であるビス４６で止着されるものとなっている。また、正面パネル４の厚さ方向の２つの表面部４Ａ，４Ｂのうちの一方の表面部である裏表面部４Ｂと、側面パネル５の小口面５Ｅとのうちのいずれか他方である正面パネル４の裏表面部４Ｂには、第２止着具であるビス４７が羅入されるものとなっている。そして、取付具４０の上の立上部４３の開口部４３Ａは、ビス４７の頭部４７Ａ及び胴部４７Ｂが挿通可能となっており、取付具４０の天井部４５の長孔４５Ａは、ビス４７の胴部４７Ｂのみが挿通可能となっている。
【００８７】
図１２に示されているように、側面パネル５の小口面５Ｅは、側枠部材３７により形成されており、この側枠部材３７には、取付具４０が収納可能な上下方向への長さを有する溝部である長溝３７Ａが形成されている。そして、この長溝３７Ａの底部３７Ｂに、複数個の取付具４０がビス４６により上下方向に離間して取り付けられている。一方、側枠部材３７で形成される正面パネル４の裏表面部４Ｂのうち、床８に立設された状態の側面パネル５の小口面５Ｅに取り付けられたそれぞれの取付具４０の天井部４５の長孔４５Ａの下端部４５Ｂ（図１０参照）と対応する又は略対応する箇所には、ビス４７が羅入されている。
【００８８】
このように、正面パネル４に側面パネル５を取り付けるためには、まず、複数個の取付具４０を、側面パネル５の小口面５Ｅに形成された長溝３７Ａの底部３７Ｂにビス４６で取り付ける作業を行うとともに、正面パネル４の裏表面部４Ｂのうち、床８に立設された状態の側面パネル５の小口面５Ｅに取り付けられたそれぞれの取付具４０の天井部４５の長孔４５Ａの下端部４５Ｂと対応する又は略対応する箇所に、ビス４７を羅入する作業を行う。
【００８９】
図１３は、上述した作業の後、取付具４０により正面パネル４に側面パネル５を取り付けるときを示す図である。
【００９０】
この図１３に示されているように、取付作業者は、床８に立設した状態の側面パネル５に、正面パネル４を持ち上げながら接近移動させ、正面パネル４に予め羅入したそれぞれのビス４７の頭部４７Ａを、側面パネルの小口面５Ｅに形成された長溝３７Ａの底部３７Ｂにビス４６で止着したそれぞれの取付具４０の上の立上部４３の開口部４３Ａに上から挿通していく。
【００９１】
この後、正面パネル４をゆっくり下ろしていくことにより、この正面パネル４に羅入されたそれぞれのビス４７の胴部４７Ｂは、取付具４０の天井部４５の長孔４５Ａに案内されながら下に移動していく。
【００９２】
そして、水平姿勢となっているそれぞれのビス４７の胴部４７Ｂの最下部が、取付具４０の天井部４５の長孔４５Ａの下端部４５Ｂに当接した時点で、言い換えると、水平姿勢となっているそれぞれのビス４７の胴部４７Ｂが、取付具４０の天井部４５の長孔４５Ａの下端部４５Ｂに載置した時点で、取付作業者は、持っていた正面パネル４から手を離す。この結果、図１２に示されているように、正面パネル４に側面パネル５が取り付けられた状態となり、取付作業は完了する。
【００９３】
なお、本実施形態において、取付具４０は、側面パネル５に取り付けるようにしていたが、正面パネル４に取り付けるようにしてもよい。
【００９４】
前述したように、図６は、正面パネル４及びこの正面パネル４に取り付けられている側面パネル５を斜め後方から見たときの斜視図、すなわち、図１１及び図１２で示されている、正面パネル４及び側面パネル５を斜め後方から見たときの斜視図である。
【００９５】
本実施形態では、前述の図２に示されているように、側面パネル５の上下寸法Ｌ１は、正面パネル４の上下寸法Ｌ２よりも小さくなっており、また、図６から分かるように、側面パネル５の上面部５Ｃの高さ位置Ｈ１は、正面パネル４の上面部４Ｃの高さ位置Ｈ２よりも低くなっている。そして、側面パネル５の小口面５Ｅは、正面パネル４の厚さ方向の２つの表面部４Ａ，４Ｂのうち、側面パネル５の小口面５Ｅと対向する表面部である裏表面部４Ｂにおける正面パネル４の小口面４Ｅから側面パネルの幅方向にずれた位置に取り付けられている。すなわち、図７及び図８に示されているように、側面パネル５の小口面５Ｅは、正面パネル４の裏表面部４Ｂにおける正面パネル４の小口面４Ｅから側面パネルの幅方向に距離Ｌ３ずれた位置に取り付けられている。
【００９６】
また、図２、図３及び図６で示されているように、側面パネル５の下面部５Ｄは、正面パネル４の下面部４Ｄと面一状態又は略面一状態となっている。
【００９７】
このように、本実施形態では、正面パネル４に側面パネル５を取り付けるときには、前述した従来のように、正面パネル４の上面部４Ｃと側面パネル５の上面部５Ｃとが面一状態となるとともに、正面パネル４の下面部４Ｄと側面パネル５の下面部５Ｄとが面一状態となるようにする必要がなくなる。
【００９８】
また、本実施形態では、正面パネル４に側面パネル５を取り付けるときには、前述した従来のように、側面パネル５の厚さ方向の２つの表面部５Ａ，５Ｂのうちの一方の表面部である表面部５Ａと、正面パネル４の小口面４Ｅとが面一状態となるようにする必要がなくなる。
【００９９】
さらに、本実施形態では、正面パネル４及び側面パネル５の製造過程において上下寸法の誤差が生じたとしても、この誤差の発生を気にすることなく、正面パネル４に側面パネル５を取り付ける作業を行うことができる。言い換えると、正面パネル４又は側面パネル５を交換することなく、正面パネル４に側面パネル５を取り付ける作業を行うことができる。
【０１００】
このため、本実施形態によると、正面パネル４に側面パネル５を角度をなして取り付ける作業が、従来と比較して簡単になる。
【０１０１】
また、本実施形態によると、前述したように、側面パネル５の小口面５Ｅ，５Ｆとこの側面パネル５の厚さ方向の２つの表面部５Ａ，５Ｂとがなす角部５Ｐ，５Ｑ，５Ｒ，５Ｓと、側面パネル５の小口面５Ｅ，５Ｆとこの側面パネル５の上面部５Ｃとがなす角部５Ｇ，５Ｈと、側面パネル５の小口面５Ｅ，５Ｆとこの側面パネル５の下面部５Ｄとがなす角部５Ｉ，５Ｊは、ラウンド形状に面取りする必要がなくなる。
【０１０２】
これにより、側面パネル５における面取りする部分を減らすことができる。すなわち、正面パネル４と比較して、エッジ材３１の使用量を減らすことができる。
【０１０３】
また、これにより、側面パネル５の正面パネル４への取付面である小口面５Ｅと、側面パネル５の後壁部１Ｂへの取付面である小口面５Ｆをより面積の大きな平坦面とすることができる。
【０１０４】
図１４は、前述した実施形態に係るパネルの取付構造を複数個のトイレブースに適用した実施形態を示す図１と同様の図である。
【０１０５】
この図１４に示されているように、トイレブース２は２個あり、これらのトイレブース２Ａ，２Ｂが横方向に連設されているため、連設式のトイレブースとなっており、それぞれのトイレブース２Ａ，２Ｂごとに扉１０が設けられている。
【０１０６】
それぞれのトイレブース２Ａ，２Ｂは、左右方向の間隔を開けて設置されている正面パネル３，５４，４と、正面パネル５４，４のそれぞれから後方に延びている側面パネル５と、これらの側面パネル５の後端において、正面パネル３，５４，４３と平行に立設されている室内壁１の後壁部１Ｂとにより、平面視で四角形に形成され、正面パネル３，５４同士の間と，正面パネル５４，４同士の間が、それぞれのトイレブース２Ａ，２Ｂの開口部である出入口６Ａ，５Ｂとなっている。そして、正面パネル３，５４，４と、正面パネル５４，４にそれぞれ取り付けられている側面パネル５は、脚部材７により床に立設されている。
【０１０７】
図１４で３個示されている不動部材である正面パネル３，５４，４のうち、中央の正面パネル５４は、言い換えると、２個のトイレブース２Ａと２Ｂの間に設けられた正面パネル５４は、これらのトイレブース２Ａと２Ｂに共通の正面パネルになっており、この正面パネル５４に取り付けられている側面パネル７は、トイレブース２Ａと２Ｂを仕切るための間仕切りパネルとなっている。
【０１０８】
このように、図１４の実施形態では、トイレブース２は複数個あり、中央の正面パネル５４は、互いに隣接する２個のトイレブース２Ａ，２Ｂ間を仕切るものとなっている。
【０１０９】
図１５は、図１４で示す３個の正面パネル３，５４，４のうちの中央の正面パネル５４及びこの正面パネル５４に取り付けられている側面パネル５を斜め後方から見たときを示す図６と同様の図である。なお、正面パネル５４と側面パネル５の取付構造は、前述した正面パネル４と側面パネル５の取付構造と同じとなっている。また、正面パネル５４は、幅寸法が正面パネル３，４の幅寸法よりも大きい点を除いて、正面パネル３，４と同じ構造を有しているため、図１５で示されている正面パネル５４の各部には、正面パネル４の各部の符号と同じ符号を付している。
【０１１０】
この図１５に示されているように、側面パネル５の小口面５Ｅは、正面パネル５４の厚さ方向の２つの表面部４Ａ，４Ｂのうちの一方の表面部である裏表面部４Ｂにおける正面パネル５４の幅方向（図１５に示す矢印Ｗ方向）中央部又は略中央部に取り付けられている。
【０１１１】
図１６及び図１７は、前述した図７等で示されている正面パネル４と側面パネル５の取付構造の別実施形態を示す図であり、図１６は、正面パネル４及び側面パネル５の上部の拡大図を示す図７と同様の図であり、図１７は、図１６に示されている正面パネル４及び側面パネル４を後方正面から見た側面図である。なお、図１７において、室内壁１の後壁部１Ｂは（図１参照）は除外して示されている。
【０１１２】
図１６及び図１７から分かるように、本実施形態では、側面パネル５の上面部５Ｃの高さ位置と、正面パネル４の上面部４Ｃの高さ位置との差Ｌ４は、方形状角部面取り部となっている角部４Ｇの曲率半径の長さＲと同一又は略同一となっている。そして、側面パネル５の小口面５Ｅは、この小口面５Ｅと対向する正面パネル４の裏表面部４Ｂにおいて、方形状角部面取り部となっている上部の２個の角部４Ｇ，４Ｈのうちの一方の角部である角部４Ｇ側の正面パネル４の小口面４Ｅから、正面パネル４の幅方向に上述した曲率半径の長さＲと同じ又は略同じ長さＬ４ずれた位置に取り付けられている。
【０１１３】
すなわち、本実施形態では、側面パネル５は、正面パネル４の裏表面部４Ｂにおけるこの正面パネル４に取り付けられたエッジ材３１を避けた箇所（言い換えると、面取り部を形成するエッジ材３１と干渉しない箇所）のうち、最も上側、かつ、最も左側（言い換えると、トイレブース２の外側）に寄った箇所に取り付けられている。
【０１１４】
このため、本実施形態によると、図６及び図７等で示されている前述の実施形態と比較して、側面パネル５で形成されるトイレブース２の側壁の高さ位置をより高いものとすることができるとともに、より大きなトイレブース２の幅スペースを確保することができるようになる。
【０１１５】
なお、以上説明した各実施形態において、側面パネル５は、正面パネル４，５４に取付具４０により取り付けられていたが、側面パネル５は、正面パネル４，５４に接着剤により取り付けられるようにしてもよい。また、側面パネル５の小口面５Ｅ，５Ｆのうち、室内壁１の後壁部１Ｂ側の小口面５Ｆは、この後壁部１Ｂに取付具４０により取り付けられるようにしてもよく、接着剤により取り付けられるようにしてもよい。
【０１１６】
また、以上説明した各実施形態において、図１や図１４等で示されている正面パネル３の小口面３Ｅ，３Ｆ（図３参照）のうち、室内壁１の側壁部１Ａ側の小口面３Ｆは、この側壁部１Ａに取付具４０により取り付けられるようにしてもよく、接着剤により取り付けられるようにしてもよい。
【０１１７】
なお、以上説明した各実施形態において、図１や図１４等で示されている正面パネル３は配置しなくてもよい。この場合には、正面パネル３に取り付けていたヒンジ１１は、室内壁１の側壁部１Ａに取り付けるようにしてもよい。
【０１１８】
なお、以上の各実施形態において、正面パネル及び側面パネルの下面部に取り付けられている脚部材７の上下寸法は、調整可能となっていてもよく、いなくてもよい。
【０１１９】
前者の場合において、脚部材７の上下寸法は、例えば、ターンバックル方式により調整可能となっていてもよく、スペーサにより調整可能となっていてもよい。
【産業上の利用可能性】
【０１２０】
本発明は、例えば、トイレブース、シャワーブース、予備校、塾等の建物に設置される受験生のための自習ブース、ビデオ観賞のための完全個室型でないビデオブース等を形成するパネルの取付構造に利用することができる。
【符号の説明】
【０１２１】
１０  扉
２  ブースであるトイレブース
３，４，５４  第１パネルである正面パネル
３Ａ，３Ｂ，４Ａ，４Ｂ  正面パネルの厚さ方向の２つの表面部
３Ｃ，４Ｃ  正面パネルの上面部
３Ｄ，４Ｄ  正面パネルの下面部
３Ｅ，３Ｆ，４Ｅ，４Ｆ  正面パネルの小口面
４Ｇ，４Ｈ，４Ｉ，４Ｊ  方形状角部面取り部となっている正面パネルの角部
５  第２パネルである側面パネル
５Ａ，５Ｂ  側面パネルの厚さ方向の２つの表面部
５Ｃ  側面パネルの上面部
５Ｄ  側面パネルの下面部
５Ｅ，５Ｆ  側面パネルの小口面
５Ｇ，５Ｈ  側面パネルの小口面とこの側面パネルの上面部とがなす角部
５Ｉ，５Ｊ  側面パネルの小口面とこの側面パネルの下面部とがなす角部
５Ｋ，５Ｌ，５Ｍ，５Ｎ  パネル幅方向延伸面取り部となっている角部
５Ｐ，５Ｑ，５Ｒ，５Ｓ  側面パネルの小口面とこの側面パネルの厚さ方向の２つの表面部とがなす角部
６  トイレブースの出入口である開口部
３１  エッジ材
４０  取付具
４１，４２  取付具のベース部
４３，４４  取付具の立上部
４３Ａ  立上部の開口部
４５  取付具の天井部
４５Ａ  天井部の長孔
４６  第１止着具であるビス
４７  第２止着具であるビス
４７Ａ  第２止着具であるビスの頭部
４７Ｂ  第２止着具であるビスの胴部
Ｈ１  側面パネルの上面部の高さ位置
Ｈ２  正面パネルの上面部の高さ位置
Ｌ１  側面パネルの上下寸法
Ｌ２  正面パネルの上下寸法
Ｌ４  側面パネルの上面部の高さ位置と、正面パネルの上面部の高さ位置との差
Ｒ  曲率半径の長さ
【図１】
0006393089.tif 000002
【図２】
0006393089.tif 000003
【図３】
0006393089.tif 000004
【図４】
0006393089.tif 000005
【図５】
0006393089.tif 000006
【図６】
0006393089.tif 000007
【図７】
0006393089.tif 000008
【図８】
0006393089.tif 000009
【図９】
0006393089.tif 000010
【図１０】
0006393089.tif 000011
【図１１】
0006393089.tif 000012
【図１２】
0006393089.tif 000013
【図１３】
0006393089.tif 000014
【図１４】
0006393089.tif 000015
【図１５】
0006393089.tif 000016
【図１６】
0006393089.tif 000017
【図１７】
0006393089.tif 000018